(57)【要約】【解決手段】新たに建造されたブロック又はレンガ壁を悪天候から素早く保護するための新設石積み壁（ＦＭＷ）保護装置（１０）と方法が開示されている。薄いプラスチックチャネル要素は、上部パネル部材（１３）と、一対の側面パネル部材（１３）とを有している。上部パネル部材（１３）は、新たに建造されたブロック又はレンガ壁の上面と係合するようにになっている、滑らかで平坦な内側面を有している。並行な側面パネル部材（１１、１２）は、新たに建造されたブロック又はレンガ壁と係合するように、弾性があり内向きに角度が付けられており、且つ、水返しと、保護装置（１０）を新たに建造されたブロック又はレンガ壁取り付ける際の案内部とを形成するため外向きに角度の付けられた下端部を有している。上部パネル部材（１３）には、複数の間隔を空けて配置された鉄筋用の半加工穴（１５）が設けられている。チャネル要素の一端には、端部を、コーナー及びその他の壁のアンジュレーションを覆うのに使えるようにするための案内線が設けられている。【選択図】図６
2004522014.tif 000002
【特許請求の範囲】
【請求項１】
新たに建造されたブロック又はレンガ壁を悪天候から迅速に保護するための新設石積み壁保護装置において、
上部パネル部材と、一対の並行な側面パネル部材とを有している薄いプラスチックチャネル要素を備えており、
前記上部パネル部材は、前記新たに建造されたブロック又はレンガ壁の上部表面と係合するようになっている滑らかで平坦な内側面を有しており、
前記並行な側面パネル部材は、前記新たに建造されたブロック又はレンガ壁と係合するように、弾性があって内向きに角度が付いており、且つ前記保護装置を前記新たに建造されたブロック又はレンガ壁に取り付けるための案内部を形成するため、外向きに角度が付いている下端部を有している新設石積み壁保護装置。
【請求項２】
前記上部パネル部材には、複数の間隔を空けて設けられた鉄筋用の半加工穴が設けられている、請求項１に記載の新設石積み壁保護装置。
【請求項３】
前記鉄筋の半加工穴は、前記上部パネル部材の長さに沿って細長くなっており、ミシン目付きの引っ張りタブと、貫通穴開けすることのできる一連の星型のミシン目とから選択される、請求項２に記載の新設石積み壁保護装置。
【請求項４】
前記上部パネル部材は、前記新たに建造された壁の長さに沿って間隔を空けて配置されている加熱要素又は電球へ電気エネルギーを供給するための一対の絶縁された電線を含んでいる、請求項１に記載の新設石積み壁保護装置。
【請求項５】
前記上部パネル部材は、前記新たに建造されたブロック又はれんが壁よりも幅が広く、前記側面パネルは、前記新たに建造されたブロック又はれんが壁の上部側面エッジと滑合するために内向きに角度が付いている、請求項１に記載の新設石積み壁保護装置。
【請求項６】
前記チャネル要素の一端には、前記装置の端部がコーナー及びその他の壁のアンジュレーションを覆うことができるようにするための案内線が設けられている、請求項１に記載の新設石積み壁保護装置。
【請求項７】
新たに建造されたブロック又はレンガ壁を悪天候から迅速に保護するための新設石積み壁保護装置において、
上部パネル部材と、一対の並行な側面パネル部材とを有している押出成形されたチャネル装置を備えており、
前記上部パネル部材は、前記新たに建造されたブロック又はレンガ壁の上部表面と係合するようになっている滑らかで平坦な内側面を有しており、
前記並行な側面パネル部材は、前記新たに建造されたブロック又はレンガ壁を掴めるように、弾性がありばねのようで、内向きに角度が付いていており、
前記上部パネル部材には、前記パネル部材の長さに沿って所定の間隔で、複数の鉄筋用の半加工穴が設けられている、新設石積み壁保護装置。
【請求項８】
前記上部パネル部材は、前記新たに建造された壁の長さに沿って間隔を空けて配置されている加熱要素又は電球へ電気エネルギーを供給するための一対の絶縁された電線を含んでいる、請求項１に記載の新設石積み壁保護装置。
【請求項９】
前記上部パネル部材は、前記新たに建造されたブロック又はれんが壁よりも幅が広く、前記側面パネルは、前記保護装置を前記新たに建造されたブロック又はレンガ壁に取り付けるための案内部を形成するため、外向きに角度が付いている端部を有している、請求項１に記載の新設石積み壁保護装置。
【請求項１０】
新たに建造されたブロック又はレンガ壁を悪天候から迅速に保護するための新設石積み壁保護装置において、
上部パネル部材と、一対の並行な側面パネル部材とを有しているチャネル要素を備えており、
前記上部パネル部材は、前記新たに建造されたブロック又はレンガ壁の上部表面と係合するようになっている滑らかで平坦な内側面を有しており、
前記並行な側面パネル部材は、前記新たに建造されたブロック又はレンガ壁を掴めるように、弾性があり、内向きに角度が付いていており、
前記側面パネル部材は、外向きに角度が付いていて搭載案内部を形成している先端部を有しており、
前記上部パネル部材には、前記上部パネル部材の長さに沿って所定の間隔で、鉄筋用の半加工穴が設けられている、新設石積み壁保護装置。
【請求項１１】
前記上部パネル部材は、前記新たに建造された壁の長さに沿って間隔を空けて配置されている加熱要素又は電球へ電気エネルギーを供給するための一対の絶縁された電線を含んでいる、請求項１０に記載の新設石積み壁保護装置。
【請求項１２】
前記上部パネル部材は、前記新たに建造されたブロック又はれんが壁よりも幅が広く、前記側面パネルは、前記保護装置を前記新たに建造されたブロック又はレンガ壁に取り付けるための案内部を形成するため、外向きに角度が付いている端部を有している、請求項１１に記載の新設石積み壁保護装置。
【請求項１３】
新たに建造されたブロック又はレンガ壁を悪天候から迅速に保護するための方法において、
（ａ）上部パネル部材と、一対の並行な側面パネル部材とを有する押出成形されたチャネル部材を準備する段階であって、前記上部パネル部材は、前記新たに建造されたブロック又はレンガ壁の上部面と係合するようになっている滑らかで平坦な内側面を有しており、前記並行な側面パネル部材は、前記壁上の所定の位置に配置されると前記新たに建造されたブロック又はレンガ壁と同時に係合するように、弾性があって内向きに角度が付いており、且つ、前記新たに建造されたブロック又はレンガ壁の上部を受け入れるための案内部を形成する角度の付いた端部を有している、チャネル部材を準備する段階と、
（ｂ）前記壁の上部に隣接する側面と前記案内部の一方の端部を係合させ、前記係合している側面パネル部材の間の距離を、前記壁の幅だけ拡張する段階と、
（ｃ）次に、前記チャネル部材を、前記側面パネル部材の前記壁との係合点周りに、概ね下方向に回転させて、前記チャネル部材の一方の端部を前記壁上に着座させ、基本的に前記チャネル部材を前記壁に整列させる段階と、
（ｄ）次に、前記一方の端部から始めて、前記上部パネル部材を徐々に下方向に押し付けることによって、前記チャネル部材の残りの部分を、前記壁の上部に着座させる段階と、から成る方法。
【請求項１４】
上記（ａ）−（ｄ）の段階を少なくとも更に１度、重複する関係で繰り返す段階を含んでいる、請求項１３に記載の方法。
【発明の詳細な説明】
【技術分野】
【０００１】
本発明は、２００１年２月２７日出願の仮特許出願第６０／２７１，５３６号「新設石積み壁プロテクター」の内容である。
あらゆる建築の全ての石工作業現場には、解決されていない問題があり、それは、石積み壁に凍結と破裂を起こす可能性のあるブロックの心部への水の侵入を防ぐために、作業日の終わりや、風雨の前に、石積み壁にカバーを掛けることである。現在では、厚さ６ミルの塩ビのようなプラスチックシートが使われている。プラスチックのロールから帯を切り出して、プラスチック上にばらのコンクリート石積みユニット（ｃｍｕ）を置いて簡単に固定している。安価な材料であり、受け入れられているやり方である。しかし、今日の市場では、労務費は高く、更に、プラスチックシートは完璧な解決方法とはなってない。
【０００２】
仕様書によれば、プラスチックシートは、ｃｍｕ壁の両面に２４”垂らすようになっている。風が吹くと、雨傘効果が生じ、６０ポンドの壁のブロックさえ持ち上げることがある。プラスチックは、特に突出する鉄筋や導管をプラスチックに貫通させなければならない場所では、裂けて破れて、壁から吹き飛んでしまうので、掃除の問題が生じる。想像できるように、壁をカバーされた状態に保つことは未解決の課題である。
【発明の開示】
【課題を解決するための手段】
【０００３】
通常は一組の石工職人集団（何人かの石積み職人と作業員）が毎日１０から１５分掛かるものが、本発明を使えば、２人の作業員で済ますことができ、しかも同時に良好な保護状態を作り出せ、その期間石積み職人は作業を継続できるので、経費の節約になり、仕事が捗ることになる。従って、本明細書に開示されている連続壁プロテクターを使えば、低労務費の作業員でも、時間を掛けずに良い仕事ができる。更に、本発明の壁プロテクターシステムは、効果的で、再使用可能であり、保管が容易で、なお、ばらのブロックでキャップを固定することができ、しかも雨傘効果を排除できる。これは、よりしっかりとしたシステムであり、滑合になっているので、プラスチックシートのように壁を覆って２４”も垂らす必要はない。更に、プラスチック上の水溜まりも排除できる。
【０００４】
本発明によれば、壁掴み脚と、等間隔に配置された引っ張りタブ付の半加工穴とを有するＵ字型の壁キャップ即ちチャネルが、新設の壁を保護する。側面パネル部材即ち脚が、上部壁側面を効果的に「抱え込む」ので、この装置を新設の壁から持ち上げて剥がそうとする風力の影響は大幅に低下するか、又は消滅する。壁キャップは多くのブロック接続部に跨って伸張しているので、上部のブロックに対する一時的な補強の役も果たす。脚は、弾性があり内向きに角度がついているので、新設の壁を掴むように働く。壁キャップには、壁を補強する鉄筋を通すための引っ張りタブ付の半加工穴が一定の間隔で設けられており、これは同時に、壁に載っている装置をしっかりと保持する効果もある。鉄筋用の半加工穴は、穴開けが比較的容易な一連の星型のミシン目であってもよい。
【０００５】
石積み壁を保護することに加えて、考えなければならない問題は、寒冷な天候である。石積み工事を或る温度以下で行うことはできないし、この温度は一定時間持続されるか、又は上昇しなければならず、それは、その日の作業温度によって決まる。寒冷な天候での石積み工事は予定が立たず、作業を中止しなければならないこともある。気温は、日中は適切な範囲内にあったとしても、夜間は下がる。このため、どんな壁でも、囲い又は他の費用の掛かる手段を使わずに放置することはできない。従来は、凍結及び工事中断を回避するために、建設業者がピグテール付の電線を敷設し、１００ワットの電球を心部に垂らし、プラスチックで覆って、壁を夜通し加熱したものだ。
【０００６】
本発明の特徴によれば、継続的に電気が供給される場合、本明細書に開示されている壁キャップの内側には、随意的に絶縁材料（ＮＦＰＡ認可／ＵＬ定格）が装備されている。プラグとソケットの構造は、雄型プラグと雌型ソケットの端部を備えた延長取付部付きの吸収缶真空掃除機の構造と同じである。組み込まれているピグテールを垂らして、１００ワットの電球をｃｍｕの単位刻み（８”、１６”、２４”など、及びメートル法で等価な値）に合わせて等間隔に取り付ける。ハンドランプのような電球を保護するガードを設けることもできる。明らかに、このシステムは、気温が低下する際の用途に限られるが、所与の温度の中間値では非常に有用であることが分かっている。
【０００７】
本明細書に開示されている新設石積み壁プロテクターを作る際に用いられる好適な弾性のプラスチック材料は、比較的安価で、容易に型成型、押出成形、真空成形、熱成形することができる。
【０００８】
従って、本発明の目的は、使用が容易で、比較的安価で、何度も再利用できる新設石積み壁プロテクターを提供することである。
本発明のこの他の目的には、以下のようなものが含まれる。
【０００９】
新たに建造されたブロック又はレンガの壁を悪天候から迅速に保護するための新設石積み保護装置において、上部パネル部材と一対の並行な側帯部材を有する押出成形チャネル部材を備えている装置の規定である。上部パネル部材は、前記新たに建造されたブロック又はレンガの壁の上部面と係合するようになっている滑らかで平坦な内側面を有している。並行な側面パネル部材は、弾性があり、内向きに角度が付いているので、新たに建造されたブロック又はレンガの壁と十分な力で係合し、風力がこの一時的な壁キャップを持ち上げて壁から引き離すのを防いでおり、しかも、壁の作業を再開する際には、容易に取り外せるようになっている。上部パネル部材には、その長さに沿って所定の間隔で、鉄筋用のミシン目の未加工穴、又は優先破断部分が設けられている。
【００１０】
上記新設石積み保護装置において、上部パネル部材は、随意的に、新しく建造された壁の長さに沿って間隔を空けて配置されている加熱要素又は電球に電気エネルギーを供給するための一対の電線を含んでいてもよい。
【００１１】
上記新設石積み壁保護装置において、上部パネル部材は、新たに建造されたブロック又はレンガ壁よりも幅が広く、側面パネルは、内向きに角度が付いており、前記新たに建造されたブロック又はレンガ壁の上部側面エッジと滑合するが、作業が完了すると、保管したり、再使用するために容易に取り外しできるようになっている。或る好適な実施形態では、側面パネルの下部エッジは、外向きに反り即ち曲がって、取付案内部を形成しており、装置を壁へ取り付け易くすると同時に、下部エッジが水返し即ち樋を形成している。
【００１２】
本発明の更に別の目的は、新たに建造されたブロック又はレンガ壁を悪天候から迅速に保護するための方法を提供することであり、前記方法は、（ａ）上部パネル部材と、一対の並行な側面パネル部材とを有する押出成形されたチャネル部材を準備する段階であって、前記上部パネル部材は、新たに建造されたブロック又はレンガ壁の上部面と係合するようになっている滑らかで平坦な内側面を有しており、前記並行な側面パネル部材は、弾性があり、ばねのようで、内向きに角度が付いているので、壁上の定位置に配置されると新たに建造されたブロック又はレンガ壁と係合すると同時に、新たに建造されたブロック又はレンガ壁の上部を受け入れるための案内部を形成する角度の付いた端部を有しているように、押出成形されたチャネル部材を準備する段階段階と、（ｂ）前記案内部の一方の端部を、壁の上部に隣接する側面に係合し、係合している側面パネル部材の間の距離を、壁の幅だけ拡張する段階と、（ｃ）次に、チャネル部材を、前記側面パネル部材の壁との係合点の周りに、概ね下方向に回転させ、チャネル部材の一端を壁上に着座させ、チャネル部材を壁と基本的に整列させる段階と、（ｄ）次に、前記一端から始めて、上部パネル部材を下方向に徐々に押し付けることによって、チャネル部材の他の部分を、壁の上部に着座させる段階と、を含んでいる。
【発明を実施するための最良の形態】
【００１３】
本発明の上記及びこの他の目的、利点及び特徴は、以下の詳細な説明及び添付図面について考えると明らかになるであろう。
図１に示すように、本発明の、新たに建造されたブロック又はレンガ壁用のプロテクター１０は、様々な幅の壁を収容するため４インチ、６インチ、８インチ、１２インチ、１４インチ幅のような様々な幅で作られ、図２に示すように、上部パネル１３の幅は、ＦＭＷの壁幅より僅かに大きく、側面パネルが内側に傾くようになっている。壁プロテクター１０は、８フィート、１２フィート、１６フィート、２０フィートなど、一定の刻みの標準長で作ることができる。壁プロテクター１０は、図２Ａに示すような上部パネル部材１３によって接合されている一対の側面パネル１１及び１２を含んでおり、側面１１及び１２は内向きに角度が付いており、密接嵌合できるように、羽根の先端に向かって先細になっている。図１Ａに示すように、端部１４は、随意的に、滑動接合に備えて先細になっていて、長い壁に被せる後続の壁プロテクターを滑合させ、壁プロテクター１０の端部上に連結できるようになっていてもよい。
【００１４】
上部パネル１３には、鉄筋ＲＢ用に複数の半加工穴１５が設けられている。図３Ａに示す実施形態の半加工穴１５は、１５Ｓのようにミシン目が施され、引っ張りタブ１５ＰＴが設けられ、壁の鉄筋の配置の許容差を吸収するため約３インチの長さを有している。半加工穴は８インチ刻みで配置されているが、これ以外の刻みでもよいと理解されたい。
【００１５】
図１Ｂに示す実施形態では、側面パネル１１Ｂ、１２Ｂに、ドリップエッジを形成している短い拡張部が設けられている。これらの拡張部１１ＤＥ及び１２ＤＥは、取付案内部を形成し、且つ水を壁から逸らせる役を果たす。案内部／ドリップエッジ１１ＤＥ及び１２ＤＥを設けることにより、フランジの内側湾曲部は、壁に下向きに押し込む際に、直接押し付けて案内に使うことができる。ドリップエッジ１１ＤＥ及び１２ＤＥは新設石積み壁ＦＭＷよりも幅が広いので、壁プロテクターを、単に壁の上部に置き、下方向に押さえることによって容易に装着することができる。この様に、装着する作業は、壁の上部に隣接している側面に案内部の一端を係合させる段階と、係合する側面パネル部材の間の距離を壁の幅だけ広げる段階と、次に、チャネル部材を、側面パネル部材が壁と係合している点の周りに概ね下方向に回転させて、チャネル部材の一端を壁上に着座させ、チャネル部材を壁と基本的に整列させる段階と、次に、前記一端から始めて、上部パネル部材を下方向に徐々に押し付けることによって、チャネル部材の残りの部分を壁の上部に着座させる段階とを含んでいる。この過程が、壁の全長に亘って重複する関係で繰り返される。これによって、新しく建造される石積み作業の進路に対し横方向の圧力を加えるのが回避される。コーナーでは、図１２に示す端部が用いられる。図３Ｂに、鉄筋用半加工穴の代替実施形態を開示している。この実施形態では、引っ張りタブの替わりに、ミシン目／スリットが、先の引っ張りタブの実施形態の場合と同じ刻みで設けられている。この実施形態では、半加工穴は、単にミシン目ＳＬ−１、ＳＬ−２、ＳＬ−３…ＳＬ−Ｎとなっているので、鉄筋要素を（作業員が）、飲料カップのプラスチック蓋にストローを突き刺すのと同じ要領で押し込めばよい。しかし、この半加工穴は、飲料カップにストローで開ける穴とは異なり、図３Ｂに示されている、壁プロテクター１０の長手寸法に沿った長いミシン目又はスリットであり、水噴射などによって形成することができる。図３Ａに示されている半加工穴と同様に、図３Ｂに示されているミシン目による半加工穴の長さは、約３インチかその前後で、鉄筋の配置誤差を吸収できるようになっている。
【００１６】
図３Ｂに示されている半加工穴は、水噴射加工によって放射状に形成され、鉄筋が貫通できるように刻まれている。これは、逆ではあるが、ストローを蓋に通す概念と同様である。更に、この構造は、広範に異なるサイズの鉄筋を受け入れることができ、位置の誤差を考慮してサイズが大きくなっている。これによって、心部に入る水が増えることがあってはならない。配置に関して、半加工穴は８インチ間隔なので、作業員は鉄筋の間隔を求めて、実際の配置に従って事前に穴加工することができる。本発明の壁プロテクターは壁の上部に滑合されることになるので、自然の風及び他の自然の力が、壁プロテクターに大きな力を働かせることはなく、従って、水が心部に入るのを防ぐことができる。
【００１７】
図４に示す壁プロテクター４−１０は、新しく建造された壁の長さに沿って等間隔に配置されている加熱要素又は電球に電気エネルギーを供給するための一対の絶縁された電線が、壁プロテクター４−１０に設けられている点を除いて、図１に示されている壁プロテクターと同じである。この実施形態では、電線は、ほぼ真空掃除機などのハンドルの電気的ホース取り付け部に差込む方式で作動する雄型及び雌型の端部取付具５−Ｍ、及び５−Ｆを有しているプラスチックストリップ（図５参照）内に埋め込まれている。電線キャリア５−Ｃにピグテール６ＰＴを設けて、図６で示すように、これに電球又は加熱要素６ＬＢを接続してもよい。絶縁体６Ｉは、壁プロテクターの上部パネル１３（図６参照）の内側表面に装着してもよい。
【００１８】
図９、１０、１１及び１３に示す本発明の実施形態では、上部パネル９−１３と、側面パネル９−１１及び９−１２は、平坦又は共通平面に押し出し成形されており、可動ヒンジ９−Ｈ１、９−Ｈ２で互いに連結されている。可動ヒンジは、可撓性ＰＶＣを、より剛性のあるＰＶＣと結び付けるための技術であり、プラスチック押し出し成形技術では既知の技術である。
【００１９】
壁プロテクターをＵ字型形状に維持するために、隣接する各可動ヒンジ９−Ｈ１、９−Ｈ２には、ラッチング又はロッキング装置が備えられている。開示されている本実施形態では、ロッキング又はラッチング構造は、ラッチング溝９ＬＧ１及び９ＬＧ２と、協働するラッチング部材９ＬＭ−１又は９ＬＭ−２を含んでいる。使用時、各ラッチング部材９ＬＭ−１及び９ＬＭ−２を備えた側面パネル９−１１及び９−１２は、それぞれ可動ヒンジ９−Ｈ１、９−Ｈ２周りに、図１０に示す位置へと折り畳まれ、そこでラッチング部材９ＬＭ−１及び９ＬＭ−２が、ロッキング溝９ＬＧ１及び９ＬＧ２内に押し込まれる。そのとき、側面パネル９−１１及び９−１２の最も内側のエッジの間の距離Ｄは、新しく建造された石積み壁ＦＭＷの幅Ｗよりも短い。側面パネル９−１１及び９−１２の先端９Ｔ１及び９Ｔ２は、外向きに湾曲してガイドエッジ９Ｔ１及び９Ｔ２を備えたマウスを形成し、このマウスによって、壁９Ｗの上部エッジが先端９Ｔ１及び９Ｔ２の境界内に嵌り、側面パネル９−１１及び９−１２を、それらが作られている材料の弾性に抗して僅かに広げることができるようになる。これによって、側面パネルは、壁９Ｗの側面に滑合することができるようになるので、壁のカバーが適所に保持される。保持性は、勿論、鉄筋が壁に用いられている状況では増強されるし、上部パネル部材９−１３の上に１つか２つのレンガ又はブロックを置けば更に強化される。
【００２０】
次に、図１２及び１３であるが、図１２では、様々な角度と配列でミシン目ＳＬ−１、ＳＬ−２、ＳＬ−３．．．ＳＬ−Ｎを有するチャネル部材の端部を示している。これは、コーナー及び継手を形成するために、材料を図示の角度で切断できるようにするためである。材料は、図示の線に沿ってはさみで切断できるほどに薄い。例えば、ＳＬ−１及びＳＬ−４の線に沿って切断すれば、対応する線に沿って切断された同様なチャネル部材と、９０度の角度を形成することができる。或いは、材料を、ＳＬ−３又はＳＬ−２及びＳＬ−４の線に沿って切断、又は分離して、その後、別の角度で切断された対応する同様な材料と重ね合わせてもよい。
【００２１】
図１３では、図１１に示されている実施形態の一区画を、星型の鉄筋用半加工穴１３−１５と共に示している。
以上、本発明を、好適な実施例に関連付けて説明してきたが、当業者には自明であるように、他の実施形態を取り、或いは修正又は改良を加えることもできる。
【図面の簡単な説明】
【００２２】
【図１】図１Ａ及び１Ｂは、本発明を組み込んだ、新たに建造されたブロック又はレンガ壁を迅速に保護するための新しい保護装置の上面図である。
【図２】図２Ａ及び２Ｂは、新しく建造された石積み壁上の新しい石積み保護装置を示す断面図である。
【図３】図３Ａは、鉄筋用の細孔付き半加工穴の上面図である。
【００２３】
図３Ｂは、鉄筋用半加工穴の或る好適な実施形態の上面図である。
【図４】加熱ランプを設けるために一対の電線を組み込んだ変形例を示す。
【図５】電熱線の雄型及び雌型のソケット端部を示す図である。
【図６】加熱用電球が接続されている状態の、図４に示す実施形態の断面図である。
【図７】本発明の別の実施形態の断面図である。
【図８】新たに建造されたブロック又はレンガ壁に取り付けた状態の、図７の実施形態の断面図である。
【図９】可動ヒンジとラッチを利用している本発明の更に別の実施形態の断面図である。
【図１０】ラッチを作動させて組み立てた状態の、図９に示す実施形態の断面図である。
【図１１】本発明を適用した、新たに建造されたブロック又はレンガ壁の断面図である。
【図１２】本発明の更に別の実施形態であり、本発明の装置をコーナーに容易に取り付けることができるように、端部に、どのように切り目又はミシン目を設けているかを示す斜視図である。
【図１３】図６に示した実施形態の斜視図であり、図３Ａの鉄筋用半加工穴の実施形態を示している。
【図１】
2004522014.tif 000003
【図４】
2004522014.tif 000004
【国際公開パンフレット】
2004522014.tif 000005
2004522014.tif 000006
2004522014.tif 000007
2004522014.tif 000008
2004522014.tif 000009
2004522014.tif 000010
2004522014.tif 000011
2004522014.tif 000012
2004522014.tif 000013
2004522014.tif 000014
2004522014.tif 000015
2004522014.tif 000016
2004522014.tif 000017
2004522014.tif 000018
2004522014.tif 000019
2004522014.tif 000020
2004522014.tif 000021
2004522014.tif 000022
2004522014.tif 000023
2004522014.tif 000024
2004522014.tif 000025
2004522014.tif 000026
2004522014.tif 000027
【国際公開パンフレット（コレクトバージョン）】
2004522014.tif 000028
【国際公開パンフレット（コレクトバージョン）】
2004522014.tif 000029
【国際公開パンフレット（コレクトバージョン）】
2004522014.tif 000030
2004522014.tif 000031
2004522014.tif 000032
2004522014.tif 000033
2004522014.tif 000034
2004522014.tif 000035
2004522014.tif 000036
2004522014.tif 000037
2004522014.tif 000038
2004522014.tif 000039
2004522014.tif 000040
2004522014.tif 000041
2004522014.tif 000042
2004522014.tif 000043
2004522014.tif 000044
2004522014.tif 000045
2004522014.tif 000046
2004522014.tif 000047
2004522014.tif 000048
2004522014.tif 000049
2004522014.tif 000050
2004522014.tif 000051
2004522014.tif 000052
2004522014.tif 000053
2004522014.tif 000054
【手続補正書】
【提出日】平成15年8月19日(2003.8.19)
【手続補正１】
【補正対象書類名】特許請求の範囲
【補正対象項目名】全文
【補正方法】変更
【補正の内容】
【特許請求の範囲】
【請求項１】
新たに建造されたブロック又はレンガ壁を悪天候から迅速に保護するための新設石積み壁保護装置において、
薄い上部パネル部材と、一対の並行な側面パネル部材とを有しているプラスチックチャネル要素を備えており、
前記上部パネル部材は、前記新たに建造されたブロック又はレンガ壁の上部表面と係合するようになっている滑らかで平坦な内側面を有しており、
前記並行な側面パネル部材は、前記新たに建造されたブロック又はレンガ壁と係合するように、弾性があって内向きに角度が付いており、且つ前記保護装置を前記新たに建造されたブロック又はレンガ壁に取り付けるための案内部を形成するため、外向きに角度が付いている下端部を有している新設石積み壁保護装置。
【請求項２】
前記上部パネル部材には、複数の間隔を空けて設けられた鉄筋用の半加工穴が設けられている、請求項１に記載の新設石積み壁保護装置。
【請求項３】
前記鉄筋の半加工穴は、前記上部パネル部材の長さに沿って細長くなっており、ミシン目付きの引っ張りタブと、貫通穴開けすることのできる一連の星型のミシン目とから選択される、請求項２に記載の新設石積み壁保護装置。
【請求項４】
前記上部パネル部材は、前記新たに建造された壁の長さに沿って間隔を空けて配置されている加熱要素又は電球へ電気エネルギーを供給するための一対の絶縁された電線を含んでいる、請求項１に記載の新設石積み壁保護装置。
【請求項５】
前記上部パネル部材は、前記新たに建造されたブロック又はれんが壁よりも幅が広く、前記側面パネルは、前記新たに建造されたブロック又はれんが壁の上部側面エッジと滑合するために内向きに角度が付いている、請求項１に記載の新設石積み壁保護装置。
【請求項６】
前記チャネル要素の一端には、前記装置の端部がコーナー及びその他の壁のアンジュレーションを覆うことができるようにするための案内線が設けられている、請求項１に記載の新設石積み壁保護装置。
【請求項７】
新たに建造されたブロック又はレンガ壁を悪天候から迅速に保護するための新設石積み壁保護装置において、
上部パネル部材と、一対の並行な側面パネル部材とを有している押出成形されたチャネル装置を備えており、
前記上部パネル部材は、前記新たに建造されたブロック又はレンガ壁の上部表面と係合するようになっている滑らかで平坦な内側面を有しており、
前記並行な側面パネル部材は、前記新たに建造されたブロック又はレンガ壁を掴めるように、弾性がありばねのようで、内向きに角度が付いていており、
前記上部パネル部材には、前記パネル部材の長さに沿って所定の間隔で、複数の鉄筋用の半加工穴が設けられている、新設石積み壁保護装置。
【請求項８】
前記上部パネル部材は、前記新たに建造された壁の長さに沿って間隔を空けて配置されている加熱要素又は電球へ電気エネルギーを供給するための一対の絶縁された電線を含んでいる、請求項７に記載の新設石積み壁保護装置。
【請求項９】
前記上部パネル部材は、前記新たに建造されたブロック又はれんが壁よりも幅が広く、前記側面パネルは、前記保護装置を前記新たに建造されたブロック又はレンガ壁に取り付けるための案内部を形成するため、外向きに角度が付いている端部を有している、請求項７に記載の新設石積み壁保護装置。
【請求項１０】
新たに建造されたブロック又はレンガ壁を悪天候から迅速に保護するための新設石積み壁保護装置において、
上部パネル部材と、一対の並行な側面パネル部材とを有しているチャネル要素を備えており、
前記上部パネル部材は、前記新たに建造されたブロック又はレンガ壁の上部表面と係合するようになっている滑らかで平坦な内側面を有しており、
前記並行な側面パネル部材は、前記新たに建造されたブロック又はレンガ壁を掴めるように、弾性があり、内向きに角度が付いていており、
前記側面パネル部材は、外向きに角度が付いていて搭載案内部を形成している先端部を有しており、
前記上部パネル部材には、前記上部パネル部材の長さに沿って所定の間隔で、鉄筋用の半加工穴が設けられている、新設石積み壁保護装置。
【請求項１１】
前記上部パネル部材は、前記新たに建造された壁の長さに沿って間隔を空けて配置されている加熱要素又は電球へ電気エネルギーを供給するための一対の絶縁された電線を含んでいる、請求項１０に記載の新設石積み壁保護装置。
【請求項１２】
前記上部パネル部材は、前記新たに建造されたブロック又はれんが壁よりも幅が広く、前記側面パネルは、前記保護装置を前記新たに建造されたブロック又はレンガ壁に取り付けるための案内部を形成するため、外向きに角度が付いている端部を有している、請求項１１に記載の新設石積み壁保護装置。
【請求項１３】
新たに建造されたブロック又はレンガ壁を悪天候から迅速に保護するための方法において、
（ａ）上部パネル部材と、一対の並行な側面パネル部材とを有する押出成形されたチャネル部材を準備する段階であって、前記上部パネル部材は、前記新たに建造されたブロック又はレンガ壁の上部面と係合するようになっている滑らかで平坦な内側面を有しており、前記並行な側面パネル部材は、前記壁上の所定の位置に配置されると前記新たに建造されたブロック又はレンガ壁と同時に係合するように、弾性があって内向きに角度が付いており、且つ、前記新たに建造されたブロック又はレンガ壁の上部を受け入れるための案内部を形成する角度の付いた端部を有している、チャネル部材を準備する段階と、
（ｂ）前記壁の上部に隣接する側面と前記案内部の一方の端部を係合させ、前記係合している側面パネル部材の間の距離を、前記壁の幅だけ拡張する段階と、
（ｃ）次に、前記チャネル部材を、前記側面パネル部材の前記壁との係合点周りに、概ね下方向に回転させて、前記チャネル部材の一方の端部を前記壁上に着座させ、基本的に前記チャネル部材を前記壁に整列させる段階と、
（ｄ）次に、前記一方の端部から始めて、前記上部パネル部材を徐々に下方向に押し付けることによって、前記チャネル部材の残りの部分を、前記壁の上部に着座させる段階と、から成る方法。
【請求項１４】
上記（ａ）−（ｄ）の段階を少なくとも更に１度、重複する関係で繰り返す段階を含んでいる、請求項１３に記載の方法。
【請求項１５】
前記一対の並行な側面パネル部材は、可動ヒンジによって、前記上部パネル部材と接続されており、前記上部パネル部材と前記並行な側面部材は、それぞれに相補的ラッチング構造を有している、請求項１に記載の新設石積み壁保護装置。
【請求項１６】
前記ラッチング構造は、前記上部パネル部材と前記側面パネル部材の内の一方に設けられたラッチング溝と、他方に設けられたラッチング部材とを含んでいる、
【国際調査報告】
2004522014.tif 000055